(57)【要約】【課題】オペレータのスキルに頼ることなく湿し水の供給量を正確且つ容易に制御できるようにした、湿し水供給量の制御方法及び湿し水装置を提供する。【解決手段】湿し水の供給源である水元ローラ１２に接触して湿し水を下流に受け渡す中継ローラ１１上に形成される水膜の軸方向の膜厚分布を計測し、上記計測結果に基づいて、中継ローラ１１の各軸端部と水元ローラ１２の対応する各軸端部との各距離、及び中継ローラ１１と水元ローラ１２との間の捩れ角を調整する。【選択図】        図１
2004223839.tif 000002
【特許請求の範囲】
【請求項１】
湿し水の供給源である水元ローラに接触して湿し水を下流に受け渡す中継ローラ上に形成される水膜の軸方向の膜厚分布を計測し、上記計測結果に基づいて、上記中継ローラの各軸端部と上記水元ローラの対応する各軸端部との各距離、及び上記中継ローラと上記水元ローラとの間の捩れ角を調整することを特徴とする、湿し水供給量の制御方法。
【請求項２】
予め用意しておいた複数の膜厚分布モデルの中から一つの膜厚分布モデルを選択し、選択した膜厚分布モデルを目標膜厚分布として、計測された実際の膜厚分布が目標膜厚分布に近づくように、上記中継ローラの各軸端部と上記水元ローラの対応する各軸端部との各距離、及び上記中継ローラと上記水元ローラの間の捩れ角を調整することを特徴とする、請求項１記載の湿し水供給量の制御方法。
【請求項３】
印刷条件に応じて目標膜厚分布となる膜厚分布モデルを選択することを特徴とする、請求項２記載の湿し水供給量の制御方法。
【請求項４】
印刷結果に応じて目標膜厚分布となる膜厚分布モデルを選択することを特徴とする、請求項２記載の湿し水供給量の制御方法。
【請求項５】
湿し水の供給源である水元ローラと、
上記水元ローラに接触して湿し水を下流に受け渡す中継ローラと、
上記中継ローラ上に形成される水膜の軸方向の膜厚分布を計測する計測手段と、
上記計測手段による計測結果に基づいて、上記中継ローラの各軸端部と上記水元ローラの対応する各軸端部との各距離を調整可能な第１調整手段と、
上記計測手段による計測結果に基づいて、上記中継ローラと上記水元ローラとの間の捩れ角を調整可能な第２調整手段とを備えたことを特徴とする、湿し水装置。
【請求項６】
所定の目標膜厚分布と上記計測手段により計測された実際の膜厚分布との差に応じて、実際の膜厚分布が目標膜厚分布に近づくように上記第１調整手段及び上記第２調整手段を自動制御する自動制御手段を備えたことを特徴とする、請求項５記載の湿し水装置。
【請求項７】
予め設定された複数の膜厚分布モデルの中から一つの膜厚分布モデルを選択し、目標膜厚分布として上記自動制御手段に入力する選択手段を備えたことを特徴とする、請求項６記載の湿し水装置。
【請求項８】
上記計測手段による計測結果を表示する表示手段と、
上記表示手段により表示される上記計測手段の計測結果を見ながら、上記第１調整手段及び上記第２調整手段を手動で遠隔制御可能な手動制御手段とを備えたことを特徴とする、請求項５記載の湿し水装置。
【請求項９】
所定の目標膜厚分布と上記計測手段により計測された実際の膜厚分布との差に応じて、実際の膜厚分布が目標膜厚分布に近づくように上記第１調整手段及び上記第２調整手段を自動制御する自動制御手段と、
上記計測手段による計測結果を表示する表示手段と、
上記表示手段により表示される上記計測手段の計測結果を見ながら、上記第１調整手段及び上記第２調整手段を手動で遠隔制御可能な手動制御手段と、
上記第１調整手段及び上記第２調整手段の制御を上記自動制御手段による制御と上記手動制御手段による制御との間で切り替える切り替え手段とを備えたことを特徴とする、請求項５記載の湿し水装置。
【請求項１０】
上記自動制御手段の操作部材と、上記表示手段の表示画面と、上記手動制御手段の操作部材と、上記切り替え手段の操作部材とが一箇所に集中配置されていることを特徴とする、請求項９記載の湿し水装置。
【発明の詳細な説明】
【０００１】
【発明の属する技術分野】
本発明は、印刷機における湿し水供給量の制御技術に関する。
【０００２】
【従来の技術】
印刷機では、インキとともに湿し水が刷版の版面に供給される。湿し水は、回転する水元ローラによって水舟から揚げられ、中継ローラ〔親水性表面のローラ，例えばクロムローラ（Ｃｒローラ）〕を介して版胴に接触する水着けローラに供給される。湿し水の供給量は、中継ローラと水元ローラとの接触状態に依存しており、中継ローラと水元ローラとの接触状態を調整することで制御することができる。例えば、中継ローラと水元ローラとのニップ幅を小さくすることで供給量を増加させ、ニップ幅を大きくすることで供給量を減少させることができる。また、中継ローラと水元ローラのニップ幅の分布を変化せることで湿し水供給量の軸方向の分布を変化させることもできる。
【０００３】
湿し水の多少は印刷物の印刷品質に大きく影響するため、その供給量の制御は重要である。しかしながら、従来はオペレータが印刷物の印刷状態から湿し水の供給量の適否を判断し、勘や経験を頼りに中継ローラと水元ローラとの接触状態を調整していたため、個人差による精度のばらつきが大きく、正確な湿し水の供給量の制御は困難であった。このため、適当な印刷状態を得るための運用方法として、適当な印刷状態が得られたときの調整位置（中継ローラと水元ローラとの接触状態を調整する調整部の調整位置）をマーキングしておき、調整の都度、そのマーキング位置に調整位置を合わせることで適正な湿し水の供給量を再現するようにした方法が採られていた。ところが、実際にはローラの硬度等の経時変化により中継ローラと水元ローラとの接触状態は変化するため、このような運用方法によっても正確に湿し水の供給量を制御することは困難であった。
【０００４】
上記のような現況のもと、特許文献１には、オペレータのスキルに頼ることなく、湿し水の供給量を適正な値に制御することができる方法が提案されている。この方法は、版胴に近い金属製インキローラ上において、赤外光の吸収を利用したセンサによりインキ膜厚及び水膜厚を計測し、その計測結果と所定の閾値との比較結果を色（赤・緑）で表示するようにしたものであり、これによれば、モニターの表示を見ながら、表示された色が適正な色（緑）になるように中継ローラと水元ローラとの接触状態を調整することで、湿し水の供給量を適正な値に制御することができる。
【０００５】
【特許文献１】
特開２００１−２０５７８６号公報
【０００６】
【発明が解決しようとする課題】
しかしながら、インキローラ上で計測した水膜厚に基づいて湿し水の供給量を正確に制御することは実際には難しい。インキローラ上に形成されている水膜の膜厚分布は、隣接するインキローラ間の接触状態や、湿し水とは別に供給されるインキの膜厚分布等の影響を受けるため、必ずしも湿し水装置から供給される湿し水の分布とは一致しないからである。したがって、特許文献１に記載の方法であっても、インキローラ上に形成されている水膜厚を適正な膜厚にするためには、中継ローラと水元ローラとの接触状態を調整する上での勘や経験が必要になり、その点においてはオペレータのスキルに頼らざるを得ない。
【０００７】
本発明は、上述の課題に鑑み創案されたもので、オペレータのスキルに頼ることなく湿し水の供給量を正確且つ容易に制御できるようにした、湿し水供給量の制御方法及び湿し水装置を提供することを目的とする。
【０００８】
【課題を解決するための手段】
かかる目的を達成する為に、本発明の湿し水供給量の制御方法は、湿し水の供給源である水元ローラに接触して湿し水を下流に受け渡す中継ローラ上に形成される水膜の軸方向の膜厚分布を計測し、上記計測結果に基づいて、中継ローラの各軸端部と水元ローラの対応する各軸端部との各距離、及び中継ローラと水元ローラとの間の捩れ角を調整することを特徴としている。
【０００９】
中継ローラ上で計測される水膜厚分布は、水元ローラから下流へ供給される湿し水供給量の軸方向分布に正確に対応している。また、中継ローラ上の水膜厚分布は中継ローラと水元ローラとの接触状態によって決まり、中継ローラの各軸端部と水元ローラの対応する各軸端部との各距離によって水膜の軸方向両端の膜厚を制御することができ、中継ローラと水元ローラとの間の捩れ角によって両端間の膜厚分布を制御することができる。したがって、本発明によればオペレータのスキルに頼ることなく、湿し水の供給量を正確且つ容易に制御することができる。
【００１０】
より好ましくは、複数の膜厚分布モデルを予め用意しておく。用意する膜厚分布モデルは、最低でも３つ（平坦な分布，上に凸な分布，及び上に凹な分布）用意しておくのが好ましく、用意しておいた複数の膜厚分布モデルの中から一つの膜厚分布モデルを目標膜厚分布として選択する。目標膜厚分布となる膜厚分布モデルは、印刷開始に先立ち印刷条件（印刷速度，インキ種，紙種，水種，絵柄面積率，絵柄の分布等）に応じて選択してもよく、印刷により得られた印刷物の印刷状態、すなわち印刷結果に応じて選択してもよい。そして、計測された実際の膜厚分布が目標膜厚分布に近づくように、中継ローラの各軸端部と水元ローラの対応する各軸端部との各距離、及び中継ローラと水元ローラとの間の捩れ角を調整する。
【００１１】
このように実際の膜厚分布が目標膜厚分布に近づくように中継ローラの各軸端部と水元ローラの対応する各軸端部との各距離や、中継ローラと水元ローラとの間の捩れ角を調整することで、調整作業の指針が明確になり、湿し水の供給量をより正確且つ容易に制御することが可能になる。また、目標膜厚分布を予め用意しておいた複数の膜厚分布モデルの中から選択するようにしておくことで、目標膜厚分布の設定が極めて簡単になり、湿し水供給量の制御がより容易になる。
【００１２】
また、上記目的を達成する為に、本発明の湿し水装置は、その構成要素として、湿し水の供給源である水元ローラと、水元ローラに接触して湿し水を下流に受け渡す中継ローラと、中継ローラ上に形成される水膜の軸方向の膜厚分布を計測する計測手段と、中継ローラの各軸端部と水元ローラの対応する各軸端部との各距離を調整する第１調整手段と、中継ローラと水元ローラとの間の捩れ角を調整する第２調整手段とを備えている。
【００１３】
これによれば、湿し水供給量の軸方向分布に正確に対応している中継ローラ上の水膜厚分布を計測することができ、さらに、その計測結果に基づいて、第１調整手段により中継ローラの各軸端部と水元ローラの対応する各軸端部との各距離を調整し、第２調整手段により中継ローラと水元ローラとの間の捩れ角を調整することで、オペレータのスキルに頼ることなく、湿し水の供給量を正確且つ容易に制御することができる。
【００１４】
より好ましくは、第１調整手段及び第２調整手段の制御は自動制御手段による自動制御とする。すなわち、所定の目標膜厚分布と計測手段により計測された実際の膜厚分布との差に応じて、自動制御手段により、実際の膜厚分布が目標膜厚分布に近づくように第１調整手段及び第２調整手段を自動制御する。これによれば、湿し水の供給量を自動制御することができ、全くオペレータのスキルに頼ることのない正確な制御が可能になる。
【００１５】
この場合、より好ましくは、複数の膜厚分布モデルを予め用意しておき、これら複数の膜厚分布モデルの中から選択手段によって一つの膜厚分布モデルを選択し、目標膜厚分布として自動制御手段に入力するように構成する。これによれば、目標膜厚分布の設定が極めて簡単になる。目標膜厚分布となる膜厚分布モデルは、印刷条件に応じて選択してもよく、印刷結果に応じて選択してもよい。
【００１６】
また、第１調整手段及び第２調整手段の制御は手動制御手段による手動での遠隔制御としてもよい。この場合、計測手段による計測結果を表示手段に表示するようにしておき、表示手段により表示される計測手段の計測結果を見ながら、手動制御手段により第１調整手段及び第２調整手段を手動で遠隔制御する。これによれば、オペレータのスキルに頼ることなく、湿し水の供給量を正確且つ容易に手動で制御することができる。
【００１７】
また、上記の自動制御と手動遠隔制御とを任意に選択できるようにすることも好ましい。すなわち、上記の自動制御手段、表示手段、及び手動制御手段を全て備えるとともに、第１調整手段及び第２調整手段の制御を自動制御手段による制御と手動制御手段による制御との間で切り替える切り替え手段をさらに備える。このように自動制御と手動遠隔制御とを切り替え可能に構成することで、状況に応じた最適な制御形態で湿し水の供給量を制御することが可能になる。
【００１８】
この場合、より好ましくは、自動制御手段の制御盤と、表示手段の表示画面と、手動制御手段の制御盤と、切り替え手段の切り替えスイッチとを一箇所に集中配置する。このように操作系を一箇所に集中配置することで、操作性が向上して湿し水供給量の制御がさらに容易になる。なお、集中配置する場所としては、印刷機の主制御盤内が好ましい。
【００１９】
【発明の実施の形態】
以下、図面により、本発明の実施の形態について説明する。
図１は、本発明の一実施形態としての、湿し水装置の構成の一例を示す概略図である。図１に示すように、版胴２の周囲には複数のローラ３，１０が配置され、それぞれ版胴２の表面に接触している。これら複数のローラ３，１０のうち、多数は版胴２の表面に備えられた刷版にインキを供給するインキ着ローラ３であり、一つは湿し水を供給する水着ローラ１０である。
【００２０】
湿し水装置１は、上記の水着ローラ１０へ水元ローラ１２とＣｒローラ１１とを介して湿し水を供給している。水元ローラ１２は湿し水を溜めた水舟１３内に一部が浸っており、水元ローラ１２の回転に伴い、湿し水が水元ローラ１２の表面に付着して水舟１３内から揚げられるようになっている。Ｃｒローラ（中継ローラ）１１は、表面を親水性のクロムでメッキされたローラであり、水元ローラ１２と水着ローラ１０の双方に接触して、水元ローラ１２によって揚げられた水を水着ローラ１０に受け渡している。
【００２１】
湿し水装置１では、湿し水の供給量は基本的に水元ローラ１２の回転速度によって制御されている。図６は、水元ローラ１２とＣｒローラ１１との接触状態が一定の場合における、水元ローラ１２の回転速度とＣｒローラ１１上の水膜の膜厚との関係を示すグラフである。図６に示すようにＣｒローラ１１上の水膜厚、すなわち、湿し水の供給量（Ｃｒローラ１１上水膜厚×水元ローラ１２の回転速度）は、水元ローラ１２の回転速度の増減に応じて増減する。水元ローラ１２の回転は、機械的に或いは電気的に版胴２の回転に同期しており、水元ローラ１２の回転速度は、版胴２の回転速度に対して所定の追従関数に従って比例するように制御されている。
【００２２】
このように水元ローラ１１の回転速度によって湿し水の基本供給量が決る一方、その幅方向（Ｃｒローラ１１の軸方向）の分布等の微調整は、水元ローラ１２とＣｒローラ１１との接触状態によって制御される。図７は、水元ローラ１２の回転速度が一定の場合における、水元ローラ１２とＣｒローラ１１との間のニップ幅（水元ローラ１２とＣｒローラ１１との間隔）とＣｒローラ１１上の水膜の膜厚との関係を示すグラフである。図７に示すようにＣｒローラ１１上の水膜厚はニップ幅の増加に応じて減少しており、このことから、ニップ幅の軸方向のプロファイル、すなわち、水元ローラ１２とＣｒローラ１１との接触状態を調整することで、湿し水供給量の分布を制御できることが分かる。
【００２３】
水元ローラ１２とＣｒローラ１１との接触状態は、一般にニップ調整機構とスキュー機構とにより調整されている。ニップ調整機構は、図３（ａ）に示すように、Ｃｒローラ１１の各軸端部と水元ローラ１２の対応する各軸端部との各距離Ｌ１，Ｌ２を調整する機構であり、左右の距離Ｌ１，Ｌ２を独立して調整できるようになっている。一方、スキュー機構は、図３（ｂ）に示すように、Ｃｒローラ１１と水元ローラ１２との間の捩れ角θを調整する機構である。ニップ調整機構もスキュー機構も、従来の湿し水装置において公知のものであるので、その詳細な構成については説明を省略する。
【００２４】
図４は、ニップ調整機構及びスキュー機構の操作とＣｒローラ１１上の水膜厚との関係を示すグラフである。図４において、左端の水膜厚は、Ｃｒローラ１１の左軸端部と水元ローラ１２の左軸端部との距離Ｌ１によって決まり、右端の水膜厚は、Ｃｒローラ１１の右軸端部と水元ローラ１２の右軸端部との距離Ｌ２によって決る。また、両端の水膜厚に対する中央部の水膜厚の偏差は、Ｃｒローラ１１と水元ローラ１２との間の捩れ角θによって決まり、捩れ角θを調整することで中央部の水膜厚を両端の水膜厚より厚くしたり、逆に薄くしたりすることができる。図４には捩れ角を異なる値θ１〜θ５に設定した場合の水膜厚の分布の変化が示されている。本実施形態の湿し水装置１では、ニップ調整機構に独立したモータ（第１調整手段）１５を取り付けるとともに、スキュー機構にも独立したモータ（第２調整手段）１６を取り付け、モータ１５，１６によって上記の距離Ｌ１，Ｌ２や捩れ角θを調整できるようにしている。なお、ニップ調整機構には、左右の機構それぞれにモータ１５が取り付けられている。
【００２５】
本実施形態の湿し水装置１は、モータ１５，１６を制御するための制御装置２０を備えている。制御装置２０には各モータ１５，１６に供給する電流値を制御するモータドライバ２１が設けられ、モータドライバ２１は上流から入力される制御信号に応じて電流値を制御している。制御装置２０には、モータドライバ２１に制御信号を入力する装置の一つとして自動制御装置２２が備えられている。また、Ｃｒローラ１１上の水膜厚分布を計測する計測装置２５も備えられている。
【００２６】
計測装置２５は、赤外線の吸収を利用したセンサ１８を用いてＣｒローラ１１上の水膜厚分布を計測する。センサ１８は、図２に示すように、Ｃｒローラ１１の軸に平行に配置されたレール１９沿って移動できるようになっており、Ｃｒローラ１１上の複数点（少なくとも両端及び中央の３点）において赤外線の照射とその反射光の受光とを行う。センサ１８が受光した反射光の光量は検出信号として計測装置２５に送信される。計測装置２５では、検出信号を所定の検量線に照合することで各計測点における水膜厚を演算し、各計測点での水膜厚からＣｒローラ１１上の膜厚分布を求める。計測装置２５で計測されたＣｒローラ１１上の水膜厚分布は、後述する自動制御装置２２に入力されるとともに、外部のモニター３５に入力されてモニター３５の画面に表示される。
【００２７】
自動制御装置２２は、計測装置２５で計測されたＣｒローラ１１上の水膜厚分布の計測値と目標とする膜厚分布との差に応じて、実際の膜厚分布が目標膜厚分布に近づくようにモータドライバ２１を介してモータ１５，１６を制御する機能と有している。装置２２が制御に用いる目標膜厚分布は、予め膜厚分布モデルとして設定された複数のモデルの中から選択される。膜厚分布モデルは、図５に示すように少なくとも３パターンが用意されている。図５（ａ）に示すパターンはＣｒローラ１１の幅方向に一定膜厚にする場合の膜厚分布モデルであり、図５（ｂ）に示すパターンはＣｒローラ１１の中央部の膜厚を両端部よりも大きくする場合の膜厚分布モデルであり、図５（ｃ）に示すパターンはＣｒローラ１１の両端部の膜厚を中央部よりも大きくする場合の膜厚分布モデルである。これらの膜厚分布モデルは記憶装置２７に記憶されており、選択装置２６によって任意の膜厚分布モデルを選択できるようになっている。
【００２８】
膜厚分布モデルを選択する上での基準としては、印刷物の印刷結果がその一つとして挙げられる。例えば、刷版の両端部に水が溜まり、その影響が印刷結果に現れているような場合には、図５（ｂ）に示すパターンを選択して両端部の湿し水量を減らせばよい。刷版の両端部における水不足により印刷物が汚れているような場合には、図５（ｃ）に示すパターンを選択して両端部の湿し水量を増やせばよい。また、印刷速度，インキ種，紙種，水種，絵柄面積率，絵柄の分布等の印刷条件に応じて膜厚分布モデルを選択してもよい。この場合、印刷条件と膜厚分布モデルとを予め対応付けておき、印刷開始に先立ち印刷条件情報を入力することで、目標とする膜厚分布モデルを自動で選択するように選択装置２６を構成することも可能である。
【００２９】
なお、自動制御装置２２によるモータ１５，１６の自動制御は、印刷開始前から行われる。印刷開始前（印刷機運転停止時）には水元ローラ１２は最低速度で回転しており、自動制御装置２２は、まず、この段階において計測されたＣｒローラ１１上の水膜厚分布と目標膜厚分布との差に応じて各モータ１５，１６を制御し、実際の膜厚分布を目標膜厚分布に一致させる。そして、印刷開始に伴い水元ローラ１２の回転速度が上昇して湿し水の供給量が変化し、膜厚分布に変化が生じてくると、制御装置２２は、計測装置２５の計測結果を目標膜厚分布に照合して、Ｃｒローラ１１上の膜厚分布が目標膜厚分布となるように各モータ１５，１６を随時制御する。
【００３０】
制御装置２０には、モータドライバ２１に制御信号を入力する装置として、上記の自動制御装置２２に加えて、手動制御装置２３も備えられている。手動制御装置２３は、オペレータにより操作される操作部材（手動制御手段の操作部材、ダイアルやレバー等）３２に接続されている。モータドライバ２１と自動制御装置２２との接続、及びモータドライバ２１と手動制御装置２３との接続は、切り替え装置２４によって何れか一方が選択される。切り替え装置２４により手動制御装置２３が選択された場合には、オペレータは、操作部材３２を操作することで、手動制御装置２３を介して各モータ１５，１６を手動で遠隔制御することが可能になっている。なお、操作部材３２は、切り替え装置２４を操作する切り替えスイッチ（切り替え手段の操作部材）３１、選択装置２６を操作する選択スイッチ（自動制御手段の操作部材）３３、及びモニター（表示画面）３５とともに、印刷機の制御盤３０内に集中配置されている。
【００３１】
以上のような構成により、本実施形態の湿し水装置１によれば、湿し水供給量の軸方向分布に正確に対応しているＣｒローラ１１上の水膜厚分布を計測することができ、さらに、その計測結果に基づいてニップ調整機構やスキュー機構を制御するので、オペレータのスキルに頼ることなく、湿し水の供給量を正確且つ容易に制御することができる。
【００３２】
特に、自動制御装置２２によって各モータ１５，１６を自動制御して、実際の膜厚分布が目標膜厚分布に近づくようにＣｒローラ１１の各軸端部と水元ローラ１２の対応する各軸端部との各距離Ｌ１，Ｌ２や、Ｃｒローラ１１と水元ローラ１２との間の捩れ角θを自動調整する場合には、全くオペレータのスキルに頼ることのない正確な制御が可能になる。また、目標膜厚分布を予め用意しておいた複数の膜厚分布モデルの中から選択するようにしておくことで、目標膜厚分布の設定が極めて簡単になり、湿し水供給量の制御がより容易になる。
【００３３】
さらに、本実施形態の湿し水装置１によれば、自動制御装置２２による各モータ１５，１６の自動制御を操作部材３２による手動での遠隔制御に切り替えることも可能であるので、膜厚分布モデルにとらわれることなくＣｒローラ１１上の膜厚分布を自由に調整することもできる。また、操作部材３２、切り替えスイッチ３１、選択スイッチ３３、及びモニター３５は一箇所に集中配置されているので、極めて操作性が良く、この点においても湿し水供給量の制御の容易化が図られている。
【００３４】
以上、本発明の実施形態を説明したが、本発明はかかる実施形態に限定されるものではなく、本発明の趣旨を逸脱しない範囲で種々変形して実施することができる。例えば、上述の実施形態の湿し水装置では、ニップ調整機構及びスキュー機構の制御方法として自動制御と手動遠隔制御とを切り替え可能に構成しているが、何れか一方の制御のみを可能に構成してもよい。
【００３５】
また、上述の実施形態では、中継ローラとしてＣｒローラを用いているが、他の素材のローラを用いてもよい。ただし、水元ローラから水着ローラへ効率的に水を受け渡すためには、中継ローラとしては表面が親水性のものが好ましく、また、中継ローラ上の水膜厚を計測するセンサとして、実施形態のように反射光を検出するタイプを用いる場合には、中継ローラの表面は鏡面仕上げされているものが好ましい。
【００３６】
また、中継ローラ上の水膜厚を計測するセンサは、実施形態のように赤外線を照射して反射光を検出するタイプのものに限定されず、中継ローラの表面性状に応じた種々のタイプを用いることができる。
【００３７】
【発明の効果】
以上詳述したように、本発明の湿し水供給量の制御方法及び湿し水装置によれば、湿し水供給量の軸方向分布に正確に対応している中継ローラ上の水膜厚分布を計測し、その計測結果に基づいて、中継ローラの各軸端部と水元ローラの対応する各軸端部との各距離を調整し、中継ローラと水元ローラとの間の捩れ角を調整することで、オペレータのスキルに頼ることなく、湿し水の供給量を正確且つ容易に制御することができる。
【図面の簡単な説明】
【図１】本発明の一実施形態としての湿し水装置の構成の一例を示す概略図である。
【図２】図１の湿し水装置におけるＣｒローラとセンサとの位置関係を示す概略図である。
【図３】Ｃｒローラと水元ローラとの接触状態の調整方法を説明するための説明図であり、（ａ）はニップ調整機構による調整を示す図、（ｂ）はスキュー機構による調整を示す図である。
【図４】ニップ調整機構及びスキュー機構の操作とＣｒローラ上の水膜厚との関係を示すグラフである
【図５】（ａ）〜（ｃ）の何れも自動制御のための膜厚分布モデルを示す図である。
【図６】水元ローラの回転速度とＣｒローラ上の水膜の膜厚との関係を示すグラフである。
【図７】水元ローラとＣｒローラとの間のニップ幅とＣｒローラ上の水膜の膜厚との関係を示すグラフである。
【符号の説明】
１  湿し水装置
２  版胴
３  インキ着ローラ
１０  水着ローラ
１１  Ｃｒローラ
１２  水元ローラ
１３  水舟
１５，１６  モータ
１８  センサ
２０  制御装置
２１  モータドライバ
２２  自動制御装置
２３  手動制御装置
２４  切り替え装置
２５  計測装置
２６  選択装置
２７  記憶装置
３０  印刷機の制御盤
３１  切り替えスイッチ
３２  操作部材
３３  選択スイッチ
３５  モニター
【図１】
2004223839.tif 000003
【図２】
2004223839.tif 000004
【図３】
2004223839.tif 000005
【図４】
2004223839.tif 000006
【図５】
2004223839.tif 000007
【図６】
2004223839.tif 000008
【図７】
2004223839.tif 000009